(57)【要約】【課題】自伝的記憶回想を介しての記憶力増強装置を提供する。【解決手段】記憶力増強装置は、ログイン画面を提供するログイン画面提供部と、複数の第１アイコン及び複数の第２アイコンを格納するアイコン格納部と、入力画面提供部と、選択アイコン格納部と、活動取出テスト画面提供部と、活動取出テスト画面を介して前記ユーザーが表示された複数のアイコンから第１アイコン及び第２アイコンを選択すると、選択した第１アイコン及び第２アイコンと前記選択アイコン格納部に格納された前記第１アイコン及び前記第２アイコンをそれぞれ比較し、比較結果に基づいて前記ユーザーの記憶点数を算出する記憶点数算出部と、前記記憶点数算出部が算出した前記記憶点数を表示するためのフィードバック画面を提供するフィードバック画面提供部を備える。【選択図】図１
2020134918.tif 000002
【特許請求の範囲】
【請求項１】
ログイン画面を提供するログイン画面提供部と、
複数の第１アイコン及び複数の第２アイコンを格納するアイコン格納部と、
ユーザーが前記ログイン画面を介してログインした後、前記複数の第１アイコンのうち少なくとも一つの第１アイコンを選択し、前記複数の第２アイコンのうち前記第１アイコンに対応する第２アイコンを選択するための入力画面を提供する入力画面提供部と、
前記ユーザーが前記入力画面を介して前記第１アイコン及び前記第２アイコンを選択すると、選択した前記第１アイコン及び前記第２アイコンを格納する選択アイコン格納部と、
前記入力画面を介して前記第１アイコン及び前記第２アイコンを選択したユーザーが翌日またそれ以降に前記ログイン画面を介してログインすると、前記入力画面を介して選択した前記第１アイコンを含む複数のアイコン及び前記入力画面を介して選択した前記第２アイコンを含む複数のアイコンを表示し、表示された複数のアイコンから前記入力画面を介して選択した前記第１アイコン及び前記第２アイコンを順に選択するようにする活動取出テスト画面を提供する活動取出テスト画面提供部と、
前記活動取出テスト画面を介して前記ユーザーが表示された複数のアイコンから第１アイコン及び第２アイコンを選択すると、選択した第１アイコン及び第２アイコンと前記選択アイコン格納部に格納された前記第１アイコン及び前記第２アイコンをそれぞれ比較し、比較結果に基づいて前記ユーザーの記憶点数を算出する記憶点数算出部と、
前記記憶点数算出部が算出した前記記憶点数を表示するためのフィードバック画面を提供するフィードバック画面提供部と
を備える、
記憶力増強装置。
【請求項２】
前記選択アイコン格納部は、前記ユーザーが複数の第１アイコンとこれに対応する複数の第２アイコンを選択すると、選択した複数の第１アイコン及びこれに対応する複数の第２アイコンとそれぞれのアイコンの選択順序をともに格納し、
前記記憶点数算出部は、前記活動取出テスト画面を介して前記ユーザーが表示された複数のアイコンから複数の第１アイコン及びこれに対応する複数の第２アイコンを選択すると、選択した複数の第１アイコン及びこれに対応する複数の第２アイコンとそれぞれのアイコンの選択順序と前記選択アイコン格納部に格納された複数の第１アイコン及びこれに対応する複数の第２アイコンとそれぞれのアイコンの選択順序をそれぞれ比較し、比較結果に基づいて前記ユーザーの記憶点数を算出する、
請求項１に記載の記憶力増強装置。
【請求項３】
前記入力画面提供部は、前記アイコン格納部に格納された前記複数の第１アイコン及び前記複数の第２アイコンのうち少なくとも一部を表示するアイコン表示部を含む、
請求項１に記載の記憶力増強装置。
【請求項４】
前記活動取出テスト画面提供部は、前記第１アイコンを含む複数のアイコン及び前記第２アイコンを含む複数のアイコンをそれぞれ設定された数だけ表示するアイコン表示部を含む、
請求項１に記載の記憶力増強装置。
【請求項５】
前記記憶点数算出部が算出した記憶点数に基づいて、前記ユーザーが所属する特定集団の平均値及び前記特定集団または全体集団の統計値を算出する平均値・統計値算出部をさらに備える、
請求項３に記載の記憶力増強装置。
【請求項６】
前記フィードバック画面提供部は、
前記記憶点数算出部が算出した前記記憶点数を表示するための記憶点数表示部と、
前記特定集団の平均値を表示するための平均値表示部と、
前記特定集団または前記全体集団の統計値を表示するための統計値表示部と
を含む、
請求項５に記載の記憶力増強装置。
【請求項７】
前記フィードバック画面提供部は、前記ユーザーに前記活動取出テスト画面を用いたテストに再びチャレンジするように提案する再チャレンジ提案部をさらに備える、
請求項６に記載の記憶力増強装置。
【請求項８】
前記アイコン表示部は、前記活動取出テスト画面を用いたテストの段階別に前記第１アイコンを含む複数のアイコンの数及び前記第２アイコンを含む複数のアイコンの数を異ならせる、
請求項４に記載の記憶力増強装置。
【請求項９】
前記アイコン表示部は、前記第１アイコンを含む複数のアイコン及び前記第２アイコンを含む複数のアイコンを所定のパターンで表示する、
請求項４に記載の記憶力増強装置。
【請求項１０】
前記アイコン表示部は、前記第１アイコンを含む複数のアイコン及び前記第２アイコンを含む複数のアイコンをそれぞれ設定した数だけ所定のパターンで表示する、
請求項４に記載の記憶力増強装置。
【請求項１１】
ログイン画面を提供するログイン画面提供工程と、
複数の第１アイコン及び複数の第２アイコンを格納するアイコン格納工程と、
ユーザーが前記ログイン画面を介してログインした後、前記複数の第１アイコンのうち
少なくとも一つの第１アイコンを選択し、前記複数の第２アイコンのうち前記第１アイコンに対応する第２アイコンを選択するための入力画面を提供する入力画面提供工程と、
前記ユーザーが前記入力画面を介して前記第１アイコン及び前記第２アイコンを選択すると、選択した前記第１アイコン及び前記第２アイコンを格納する選択アイコン格納工程と、
前記入力画面を介して前記第１アイコン及び前記第２アイコンを選択したユーザーが翌日またそれ以降に前記ログイン画面を介してログインすると、前記入力画面を介して選択した前記第１アイコンを含む複数のアイコン及び前記入力画面を介して選択した前記第２アイコンを含む複数のアイコンを表示し、表示された複数のアイコンから前記入力画面を介して選択した前記第１アイコン及び前記第２アイコンを順に選択するようにする活動取出テスト画面を提供する活動取出テスト画面提供工程と、
前記活動取出テスト画面を介して前記ユーザーが表示された複数のアイコンから第１アイコン及び第２アイコンを選択すると、選択した第１アイコン及び第２アイコンと前記選択アイコン格納工程で格納された前記第１アイコン及び前記第２アイコンをそれぞれ比較し、比較結果に基づいて前記ユーザーの記憶点数を算出する記憶点数算出工程と、
前記記憶点数算出工程で算出した前記記憶点数を表示するためのフィードバック画面を提供するフィードバック画面提供工程と
を備える、
記憶力増強方法。
【請求項１２】
コンピューターに、請求項１１に記載の記憶力増強方法を実行させるためのプログラム。
【発明の詳細な説明】
【技術分野】
【０００１】
本発明は、記憶力増強装置、記憶力増強方法、及びプログラムに関する。
【背景技術】
【０００２】
ディジタル文化とスマートフォンに特化された現代社会で、人間は徐々に記憶すべきことを電子機器に依存することになり、過去に比べて記憶力が衰える傾向がある。従って、幼少年期から老化による記憶力の衰える速度を減らすのみならず、延いては記憶力を向上させる努力が必要である。
【０００３】
特許文献１は、ユーザーの記憶力を評価し、評価した記憶力に基づいて訓練レベルを決定し、決定した訓練レベルに対応する記憶力訓練プログラムをユーザーに提供する記憶力向上訓練方法を記載している。
【０００４】
認知神経科学の理論によると、記憶したことを頻繁に取り出すと記憶力が向上する。過去の経験を取り出すことで未来の想像、問題解決、及び創意性へとつながる。人間は自身と関連する自伝的記憶をよりよく記憶するのである。
【０００５】
さらに、成功した自伝的記憶の回想は脳の海馬の活性化に影響を与え、自身の経験を取り出すことで記憶の歪曲防止にも効果がある。
【先行技術文献】
【特許文献】
【０００６】
【特許文献１】韓国特許公開公報第１０−２０１３−００１０５８４号
【発明の概要】
【発明が解決しようとする課題】
【０００７】
本発明は上記に鑑みてなされたものであり、自伝的記憶回想を介して記憶力を向上させることができる記憶力増強装置、記憶力増強方法、及びコンピューターに記憶力増強方法を実行させるためのプログラムを提供することを一つの目的とする。
【０００８】
さらに、テストとフィードバック及び再チャレンジを介してメタ認知機能と記憶力を向上させることができる記憶力増強装置、記憶力増強方法、及びコンピューターに記憶力増強方法を実行させるためのプログラムを提供することをもう一つの目的とする。
【０００９】
本発明の解決課題は以上で言及されたものに限定されず、言及されていない他の解決課題は下記の記載から当該技術分野における通常の知識を有した者に明確に理解できるであろう。
【課題を解決するための手段】
【００１０】
本発明の少なくとも一つの実施例においては、ログイン画面を提供するログイン画面提供部と、複数の第１アイコン及び複数の第２アイコンを格納するアイコン格納部と、ユーザーが前記ログイン画面を介してログインした後、前記複数の第１アイコンのうち少なくとも一つの第１アイコンを選択し、前記複数の第２アイコンのうち前記第１アイコンに対応する第２アイコンを選択するための入力画面を提供する入力画面提供部と、前記ユーザーが前記入力画面を介して前記第１アイコン及び前記第２アイコンを選択すると、選択した前記第１アイコン及び前記第２アイコンを格納する選択アイコン格納部と、前記入力画面を介して前記第１アイコン及び前記第２アイコンを選択したユーザーが翌日またそれ以降に前記ログイン画面を介してログインすると、前記入力画面を介して選択した前記第１アイコンを含む複数のアイコン及び前記入力画面を介して選択した前記第２アイコンを含む複数のアイコンを表示し、表示された複数のアイコンから前記入力画面を介して選択した前記第１アイコン及び前記第２アイコンを順に選択するようにする活動取出テスト画面を提供する活動取出テスト画面提供部と、前記活動取出テスト画面を介して前記ユーザーが表示された複数のアイコンから第１アイコン及び第２アイコンを選択すると、選択した第１アイコン及び第２アイコンと前記選択アイコン格納部に格納された前記第１アイコン及び前記第２アイコンをそれぞれ比較し、比較結果に基づいて前記ユーザーの記憶点数を算出する記憶点数算出部と、前記記憶点数算出部が算出した前記記憶点数を表示するためのフィードバック画面を提供するフィードバック画面提供部を備える、記憶力増強装置を提供する。
【００１１】
本発明の少なくとも一つの実施例において、前記選択アイコン格納部は、前記ユーザーが複数の第１アイコンとこれに対応する複数の第２アイコンを選択すると、選択した複数の第１アイコン及びこれに対応する複数の第２アイコンとそれぞれのアイコンの選択順序をともに格納し、前記記憶点数算出部は、前記活動取出テスト画面を介して前記ユーザーが表示された複数のアイコンから複数の第１アイコン及びこれに対応する複数の第２アイコンを選択すると、選択した複数の第１アイコン及びこれに対応する複数の第２アイコンとそれぞれのアイコンの選択順序と前記選択アイコン格納部に格納された複数の第１アイコン及びこれに対応する複数の第２アイコンとそれぞれのアイコンの選択順序をそれぞれ比較し、比較結果に基づいて前記ユーザーの記憶点数を算出する。
【００１２】
本発明の少なくとも一つの実施例において、前記入力画面提供部は、前記アイコン格納部に格納された前記複数の第１アイコン及び前記複数の第２アイコンのうち少なくとも一部を表示するアイコン表示部を含む。
【００１３】
本発明の少なくとも一つの実施例において、前記活動取出テスト画面提供部は、前記第１アイコンを含む複数のアイコン及び前記第２アイコンを含む複数のアイコンをそれぞれ設定された数だけ表示するアイコン表示部を含む。
【００１４】
本発明の少なくとも一つの実施例において、前記記憶力増強装置は、前記記憶点数算出部が算出した記憶点数に基づいて、前記ユーザーが所属する特定集団の平均値及び前記特定集団または全体集団の統計値を算出する平均値・統計値算出部をさらに備える。
【００１５】
本発明の少なくとも一つの実施例において、前記フィードバック画面提供部は、前記記憶点数算出部が算出した前記記憶点数を表示するための記憶点数表示部と、前記特定集団の平均値を表示するための平均値表示部と、前記特定集団または前記全体集団の統計値を表示するための統計値表示部を含む。
【００１６】
本発明の少なくとも一つの実施例において、前記記憶力増強装置は、前記フィードバック画面提供部は、前記ユーザーに前記活動取出テストを用いたテストに再びチャレンジするように提案する再チャレンジ提案部をさらに備える。
【００１７】
本発明の少なくとも一つの実施例において、前記アイコン表示部は、前記活動取出テスト画面を用いたテストの段階別に前記第１アイコンを含む複数のアイコンの数及び前記第２アイコンを含む複数のアイコンの数を異ならせる。
【００１８】
本発明の少なくとも一つの実施例において、前記アイコン表示部は、前記第１アイコンを含む複数のアイコン及び前記第２アイコンを含む複数のアイコンを所定のパターンで表示する。
【００１９】
本発明の少なくとも一つの実施例において、前記アイコン表示部は、前記第１アイコンを含む複数のアイコン及び前記第２アイコンを含む複数のアイコンをそれぞれ設定した数だけ所定のパターンで表示する。
【００２０】
本発明の少なくとも一つの実施例においては、ログイン画面を提供するログイン画面提供工程と、複数の第１アイコン及び複数の第２アイコンを格納するアイコン格納工程と、ユーザーが前記ログイン画面を介してログインした後、前記複数の第１アイコンのうち
少なくとも一つの第１アイコンを選択し、前記複数の第２アイコンのうち前記第１アイコンに対応する第２アイコンを選択するための入力画面を提供する入力画面提供工程と、前記ユーザーが前記入力画面を介して前記第１アイコン及び前記第２アイコンを選択すると、選択した前記第１アイコン及び前記第２アイコンを格納する選択アイコン格納工程と、前記入力画面を介して前記第１アイコン及び前記第２アイコンを選択したユーザーが翌日またそれ以降に前記ログイン画面を介してログインすると、前記入力画面を介して選択した前記第１アイコンを含む複数のアイコン及び前記入力画面を介して選択した前記第２アイコンを含む複数のアイコンを表示し、表示された複数のアイコンから前記入力画面を介して選択した前記第１アイコン及び前記第２アイコンを順に選択するようにする活動取出テスト画面を提供する活動取出テスト画面提供工程と、前記活動取出テスト画面を介して前記ユーザーが表示された複数のアイコンから第１アイコン及び第２アイコンを選択すると、選択した第１アイコン及び第２アイコンと前記選択アイコン格納工程で格納された前記第１アイコン及び前記第２アイコンをそれぞれ比較し、比較結果に基づいて前記ユーザーの記憶点数を算出する記憶点数算出工程と、前記記憶点数算出工程で算出した前記記憶点数を表示するためのフィードバック画面を提供するフィードバック画面提供工程を備える、記憶力増強方法を提供する。
【００２１】
本発明の少なくとも一つの実施例においては、コンピューターに、前記記憶力増強方法を実行させるためのプログラムを提供する。
【００２２】
本明細書でそれぞれの実施例は互いに独立的に記載されているが、それぞれの実施例は相互組合せが可能であり、組合せによる実施例も本発明の権利範囲に含まれる。
【００２３】
上述した要約は単に説明のためのものであり、如何なる形でも限定を意図するものではない。上述した説明様態、実施例、及び特徴に加え、追加の様態、実施例、及び特徴が図面及び詳細な説明を参照することで明確になるはずである。
【発明の効果】
【００２４】
本発明の少なくとも一つの実施例によれば、自伝的記憶回想を介して記憶力を向上させることができる記憶力増強装置、記憶力増強方法、及びコンピューターに記憶力増強方法を実行させるためのプログラムを提供できるという効果を奏する。
【００２５】
本発明の少なくとも一つの実施例によれば、テストとフィードバック及び再チャレンジを介してメタ認知機能と記憶力を向上させることができる記憶力増強装置、記憶力増強方法、及びコンピューターに記憶力増強方法を実行させるためのプログラムを提供することができるという効果を奏する。
【００２６】
本発明の効果は以上で言及されたものなどに限定されず、言及されていない他の効果は下記の記載から当該技術分野における通常の知識を有した者に明確に理解できるはずである。
【図面の簡単な説明】
【００２７】
【図１】本発明の少なくとも一つの実施例に係る記憶力増強装置の機能ブロック図である。
【図２】本発明の少なくとも一つの実施例に係る記憶力増強装置の入力画面提供部の機能ブロック図である。
【図３】本発明の少なくとも一つの実施例に係る記憶力増強装置の活動取出テスト画面提供部の機能ブロック図である。
【図４】本発明の少なくとも一つの実施例に係る記憶力増強装置のフィードバック画面提供部の機能ブロック図である。
【図５】本発明の少なくとも一つの実施例に係る記憶力増強装置の入力画面提供部の動作を説明するためのフローチャートである。
【図６】本発明の少なくとも一つの実施例に係る記憶力増強装置の活動取出テスト画面提供部の動作を説明するためのフローチャートである。
【図７】本発明の少なくとも一つの実施例に係る記憶力増強装置のフィードバック画面提供部の動作を説明するためのフローチャートである。
【図８】本発明の少なくとも一つの実施例に係る記憶力増強装置の入力画面提供部が提供する入力画面の一例を示す概略図である。
【図９】本発明の少なくとも一つの実施例に係る記憶力増強装置の入力画面提供部が提供する入力画面の一例を示す概略図である。
【図１０】本発明の少なくとも一つの実施例に係る記憶力増強装置の入力画面提供部が提供する入力画面の一例を示す概略図である。
【図１１】本発明の少なくとも一つの実施例に係る記憶力増強装置の活動取出テスト画面提供部が提供する活動取出テスト画面の一例を示す概略図である。
【図１２】本発明の少なくとも一つの実施例に係る記憶力増強装置の活動取出テスト画面提供部が提供する活動取出テスト画面の一例を示す概略図である。
【図１３】本発明の少なくとも一つの実施例に係る記憶力増強装置の活動取出テスト画面提供部が提供する活動取出テスト画面の一例を示す概略図である。
【図１４】本発明の少なくとも一つの実施例に係る記憶力増強装置のフィードバック画面提供部が提供するフィードバック画面の一例を示す概略図である。
【発明を実施するための形態】
【００２８】
以下、添付図面を参照し、本発明の少なくとも一つの実施例に係る記憶力増強装置、記憶力増強方法、及びこれを実現するためのプログラムを格納するコンピューター読み取り可能な記録媒体について詳しく説明する。
【００２９】
図１は、本発明の少なくとも一つの実施例に係る記憶力増強装置１００の機能ブロック図である。
【００３０】
図１に示すように、本発明の少なくとも一つの実施例に係る記憶力増強装置１００は、ログイン画面提供部１１０、アイコン格納部１２０、入力画面提供部１３０、選択アイコン格納部１４０、活動取出テスト画面提供部１５０、記憶点数算出部１６０、及びフィードバック画面提供部１７０を備える。
【００３１】
記憶力増強装置１００は、プロセッサ（ＣＰＵ）内でそれぞれの機能を実行するモジュールを介したアプリケーションの形で提供され（例えば、スマートフォンで）、ログイン画面提供部１１０は、このようなアプリケーションにユーザーがログインするためのログイン画面を提供する。
【００３２】
アイコン格納部１２０は、予め複数の第１アイコン及び複数の第２アイコンを格納する。本発明の少なくとも一つの実施例において、第１アイコンは会議、スポーツ、映画鑑賞、業務などの活動内容を表すアイコンであり、第２アイコンはそれぞれの活動内容に対する満足度、成遂度、または気分（以下、「満足度」と総称する）を表すアイコンである。
【００３３】
本発明の少なくとも一つの実施例において、第１アイコン及び第２アイコンは一般的なアイコン、エモーティコン、及びイメージを含む。
【００３４】
第１アイコンまたは第２アイコンとしてイメージを用いると、記憶力に問題があるユーザーの場合、損傷した記憶から正常な記憶を取り出すのに効果的である。
【００３５】
入力画面提供部１３０は、ユーザーがログイン画面を介してログインした後、アイコン格納部１２０に格納された複数の第１アイコンのうち少なくとも一つの第１アイコンを選択１３２し、選択した第１アイコンに対応する第２アイコンを複数の第２アイコンから選択１３３するための入力画面を提供する。
【００３６】
本発明の少なくとも一つの実施例において、ユーザーは、自身が活動した内容に該当する第１アイコンを選択した後、当該活動内容に対する満足度を、例えば、５段階のレベルから選択する。満足度のレベルは５段階に限定されず、必要に応じてより少なくまたはより多く設定することができる。
【００３７】
選択アイコン格納部１４０は、ユーザーが入力画面を介して第１アイコン及び第２アイコンを選択すると、選択した第１アイコン及び第２アイコンを格納する。このとき、ユーザーは第１アイコン及び第２アイコンと共に簡単なメモを入力することができるし、選択アイコン格納部１４０は入力されたメモを第１アイコン及び第２アイコンと共に格納する。
【００３８】
この場合、メモの代わりにまたはメモと共にイメージ（写真）を格納することもできる。現代人の感性を考慮すると、テキストよりユーザーが自分で撮影したイメージまたはそれぞれの活動に関連するイメージを用いるのがテキストも用いたメモより効果的である場合がある。
【００３９】
活動取出テスト画面提供部１５０は、入力画面を介して第１アイコン及び第２アイコンを選択したユーザーが翌日またはそれ以降にログイン画面を介して再びログインすると、以前入力画面を介して選択した第１アイコンを含む複数のアイコン及び第２アイコンを含む複数のアイコンを表示して、表示した複数のアイコンから入力画面を介して選択した第１アイコン及び第２アイコンを順に選択するようにして活動取出テストを実施するための活動取出テスト画面を提供する。
【００４０】
ここで、活動取出テストを、第１アイコン及び第２アイコンを選択してからその翌日またはそれ以降に実施するのは、人間は眠ることで記憶を固めることができるので、ユーザーに記憶を固める時間を与えるためである。
【００４１】
この場合、夜１２時以前にユーザーが入力画面を介して第１アイコン及び第２アイコンを選択した場合は、例えば、翌日午前４時以降にユーザーが再びログインすると活動取出テスト画面を表示する。
【００４２】
従って、入力画面を介して第１アイコン及び第２アイコンを選択してから所定の時間（例えば、少なくとも４時間）の間睡眠をとることが重要なので、当日であっても睡眠をとる時間が含まれるならば（例えば、午前１時ごろにアイコンを選択し、その後数時間の睡眠をとるとすると、時間帯によっては所定の時間が経過した後）、このような場合も翌日に含まれる。
【００４３】
即ち、本明細書で翌日は、入力画面を介して第１アイコン及び第２アイコンを選択してから所定の時間睡眠をとった後であることを意味する。
【００４４】
本発明の少なくとも一つの実施例に係る記憶力増強装置は、一種の日記と日記に基づいた記憶力訓練プログラムを介して脳の広い領域を活性化することで記憶力を向上させる。
【００４５】
認知神経科学の理論によると、記憶したことを頻繁に取り出すと記憶力が向上する。情報を取り出す方法の一つがテストである。自分が記憶しているのが正しいのか間違っているのかを確認すると、メタ記憶まで向上させることが可能である。本発明の少なくとも一つの実施例に係る活動取出テストは、ユーザーの経験と感情に対する記憶を簡単で迅速にテストできるように成されている。
【００４６】
さらに、再チャレンジを介したフィードバックでメタ認知能力と記憶力を同時に高めることができる。本発明の少なくとも一つの実施例に係る記憶力増強装置は、活動内容と順序、情緒別に一連の内容を繋ぎ、記憶能力を効果的に向上させることが可能であり、レベルが上がるほど高難易度の記憶力を発揮できるようにシステム化されている。
【００４７】
記憶点数算出部１６０は、活動取出テスト画面を介してユーザーが表示された複数のアイコンから第１アイコン及び第２アイコンを選択すると、選択した第１アイコン及び第２アイコンと選択アイコン格納部１４０に格納された第１アイコン及び第２アイコンをそれぞれ比較し、比較結果に基づいてユーザーの記憶点数を算出する。
【００４８】
即ち、選択アイコン格納部１４０に格納された第１アイコン及び第２アイコンは当該日にユーザーが行った活動とそれぞれの活動に対する満足度を表し、活動取出テスト画面を介して選択された第１アイコン及び第２アイコンは、前日またはそれ以前にユーザー自身が選択した第１アイコン及び第２アイコン及びその順序を思い出して選択される。したがって、これらが一致する場合には、ユーザーの記憶力が良いと考えられるので高い記憶点数が得られる。ここで、前日とは、翌日と同じように単に夜１２時を基準に分けられる場合に限られず、所定の時間睡眠を取った場合の睡眠の開始時刻または終了時刻を基準とする所定の時間以前を含む。
【００４９】
フィードバック画面提供部１７０は、記憶点数算出部１６０が算出した記憶点数を表示するためのフィードバック画面を提供する。
【００５０】
本発明の少なくとも一つの実施例において、選択アイコン格納部１４０は、ユーザーが複数の第１アイコンとこれに対応する複数の第２アイコンを選択すると、選択した複数の第１アイコン及びこれに対応する複数の第２アイコンとそれぞれのアイコンの選択順序を共に格納する。 記憶点数算出部１６０は、活動取出テスト画面を介してユーザーが表示された複数のアイコンから複数の第１アイコン及びこれに対応する複数の第２アイコンを選択すると、選択した複数の第１アイコン及びこれに対応する複数の第２アイコンとそれぞれのアイコンの選択順序と選択アイコン格納部１４０に格納された複数の第１アイコン及びこれに対応する複数の第２アイコンとそれぞれのアイコンの選択順序をそれぞれ比較し、比較結果に基づいてユーザーの記憶点数を算出する。
【００５１】
図２は、本発明の少なくとも一つの実施例に係る記憶力増強装置１００の入力画面提供部１３０の機能ブロック図である。
【００５２】
本発明の少なくとも一つの実施例において、入力画面提供部１３０アイコンは、アイコン格納部１２０に格納された複数の第１アイコン及び複数の第２アイコンのうち少なくとも一つを表示するアイコン表示部１３１を含む。
【００５３】
図３は、本発明の少なくとも一つの実施例に係る記憶力増強装置１００の活動取出テスト画面提供部１５０の機能ブロック図である。
【００５４】
本発明の少なくとも一つの実施例において、活動取出テスト画面提供部１５０は、第１アイコンを含む複数のアイコン及び第２アイコンを含む複数のアイコンをそれぞれ設定した数だけ表示するアイコン表示部１５１を含む。
【００５５】
本発明の少なくとも一つの実施例において、記憶力増強装置１００は、図３に示すように、記憶点数算出部１６０が算出した記憶点数に基づいてユーザーが所属する特定集団の平均値及び特定集団または全体集団の統計値を算出する平均値・統計値算出部１６２をさらに備える。
【００５６】
図４は、本発明の少なくとも一つの実施例に係る記憶力増強装置１００のフィードバック画面提供部１７０の機能ブロック図である。
【００５７】
本発明の少なくとも一つの実施例において、フィードバック画面提供部１７０は、記憶点数算出部１６０が算出した記憶点数を表示するための記憶点数表示部１７１、特定集団の平均値を表示するための平均値表示部１７２、及び特定集団または全体集団の統計値を表示するための統計値表示部１７３を含む。
【００５８】
本発明の少なくとも一つの実施例において、フィードバック画面提供部１７０は、ユーザーに活動取出テスト画面を用いたテストに再びチャレンジするように提案する再チャレンジ提案部１７４をさらに含む。再チャレンジ提案部１７４は、例えば記憶点数が閾値以下であった場合に、再チャレンジをするための画面を提供する。ユーザーの記憶点数が良くない場合または再びテストを行う場合、ユーザーは再チャレンジ提案部１７４を介してテストを再び行うことができる。
【００５９】
本発明の少なくとも一つの実施例において、アイコン表示部１５１は、活動取出テストの段階別に第１アイコンを含む複数のアイコンの数及び第２アイコンを含む複数のアイコンの数を異ならせて表示する。
【００６０】
例えば、第１段階のテストでは、図１１に示すように、９個のアイコンからユーザーが入力した（入力画面で選択した）活動アイコンを探して時間順に配列する。第２段階のテストでは、図１２に示すように、２０個のアイコンからユーザーが入力した（入力画面で選択した）活動アイコンを探して時間順に配列する。
【００６１】
本発明の少なくとも一つの実施例において、アイコン表示部１５１は、活動取出テストの段階別に第１アイコンを含む複数のアイコンの数及び第２アイコンを含む複数のアイコンの数を異ならせて表示するのみならず、図１３に示すように、特定の図形の形でアイコンを隠し、ユーザーがアイコンの位置をクリックして当該一のアイコンを覚えておいて順に入力する形態にしても良い。
【００６２】
本発明の少なくとも一つの実施例において、アイコン表示部１５１は、第１アイコンを含む複数のアイコン及び第２アイコンを含む複数のアイコンを所定のパターンで表示する。
【００６３】
本発明の少なくとも一つの実施例において、アイコン表示部１５１は、第１アイコンを含む複数のアイコン及び第２アイコンを含む複数のアイコンをそれぞれ設定した数だけ所定のパターンで表示する。
【００６４】
図５は、本発明の少なくとも一つの実施例に係る記憶力増強装置１００の入力画面提供部１３０の動作を説明するためのフローチャートである。図６は、本発明の少なくとも一つの実施例に係る記憶力増強装置１００の活動取出テスト画面提供部１５０の動作を説明するためのフローチャートである。図７は、本発明の少なくとも一つの実施例に係る記憶力増強装置１００のフィードバック画面提供部１７０の動作を説明するためのフローチャートである。
【００６５】
本発明の少なくとも一つの実施例に係る記憶力増強方法は、ログイン画面を提供するログイン画面提供工程（ステップＳ５１０）、ユーザーがログイン画面を介してログインした後、予め格納された複数の第１アイコン及び複数の第２アイコンのうち少なくとも一つの第１アイコン及びこれに対応する第２アイコンを選択するための入力画面を提供する入力画面提供工程（ステップＳ５２０）、ユーザーが入力画面を介して第１アイコン及び第２アイコンを選択すると（ステップＳ５３０）、選択した第１アイコン及び第２アイコンを格納する選択アイコン格納工程（ステップＳ５４０）、入力画面を介して第１アイコン及び第２アイコンを選択したユーザーが翌日またはそれ以降にログイン画面を介してログインすると（ステップＳ６１０）、入力画面を介して選択した第１アイコンを含む複数のアイコン及び第２アイコンを含む複数のアイコンを表示して、表示された複数のアイコンから入力画面を介して選択した第１アイコン及び第２アイコンを順に選択するようにする活動取出テスト画面を提供する活動取出テスト画面提供工程（ステップＳ６２０）、活動取出テスト画面を介してユーザーが表示された複数のアイコンから第１アイコン及び第２アイコンを選択すると（ステップＳ６３０）、選択した第１アイコン及び第２アイコンと選択アイコン格納工程で格納した第１アイコン及び第２アイコンをそれぞれ比較し、比較結果に基づいてユーザーの記憶点数を算出する記憶点数算出工程（ステップＳ６４０）、及び記憶点数算出工程で算出した記憶点数を表示するためのフィードバック画面を提供するフィードバック画面提供工程（ステップＳ７１０）を備える。
【００６６】
本発明の少なくとも一つの実施例に係る記憶力増強方法は、プロセッサ（ＣＰＵ）の中でそれぞれの機能を実行するモジュールを介したアプリケーションとして実現される（例えば、スマートフォンで）。
【００６７】
本発明の少なくとも一つの実施例において、第１アイコンは会議、スポーツ、映画鑑賞、業務などの活動内容を表すアイコンであり、第２アイコンはそれぞれの活動内容に対する満足度、成遂度、または気分（以下、「満足度」と総称する）を表すアイコンである。
【００６８】
本発明の少なくとも一つの実施例において、第１アイコン及び第２アイコンは一般的なアイコン、エモーティコン、及びイメージを含む。
【００６９】
第１アイコンまたは第２アイコンとしてイメージを用いると、記憶力に問題があるユーザーの場合、損傷した記憶から正常な記憶を取り出すのに効果的である。
【００７０】
入力画面提供工程（ステップＳ５２０）では、ユーザーがログイン画面を介してログインし、予め格納された複数の第１アイコンのうち少なくとも一つの第１アイコンを選択し、選択した第１アイコンに対応する第２アイコンを複数の第２アイコンから選択するための入力画面を表示する。
【００７１】
本発明の少なくとも一つの実施例において、ユーザーは、自身が活動した内容に該当する第１アイコンを選択した後、当該活動内容に対する満足度を、例えば、５段階のレベルから選択する。満足度のレベルは５段階に限定されず、必要に応じてより少なくまたはより多く設定することができる。
【００７２】
選択アイコン格納工程（ステップＳ５４０）では、ユーザーが入力画面を介して第１アイコン及び第２アイコンを選択すると、選択した第１アイコン及び第２アイコンを格納する。このとき、ユーザーは第１アイコン及び第２アイコンと共に簡単なメモを入力することができるし、選択アイコン格納工程（ステップＳ５４０）では入力されたメモを第１アイコン及び第２アイコンと共に格納する。
【００７３】
この場合、メモの代わりにまたはメモと共にイメージ（写真）を格納することもできる。現代人の感性を考慮すると、テキストよりユーザーが自分で撮影したイメージまたはそれぞれの活動に関連するイメージを用いるのがテキストも用いたメモより効果的である場合がある。
【００７４】
活動取出テスト画面提供工程（ステップＳ６２０）では、入力画面を介して第１アイコン及び第２アイコンを選択したユーザーが翌日またはそれ以降にログイン画面を介して再びログインすると、以前入力画面を介して選択した第１アイコンを含む複数のアイコン及び第２アイコンを含む複数のアイコンを表示して、表示した複数のアイコンから入力画面を介して選択した第１アイコン及び第２アイコンを順に選択するようにして活動取出テストを実施するための活動取出テスト画面（第１テスト画面）を提供する。
【００７５】
ここで、活動取出テストを、第１アイコン及び第２アイコンを選択してからその翌日またはそれ以降に実施するのは、人間は眠ることで記憶を固めることができるので、ユーザーに記憶を固める時間を与えるためである。
【００７６】
この場合、夜１２時以前にユーザーが入力画面を介して第１アイコン及び第２アイコンを選択した場合は、例えば、翌日午前４時以降にユーザーが再びログインすると活動取出テスト画面を表示する。
【００７７】
従って、入力画面を介して第１アイコン及び第２アイコンを選択してから所定の時間（例えば、少なくとも４時間）の間睡眠をとることが重要なので、当日であっても睡眠をとる時間が含まれるならば（例えば、午前１時ごろにアイコンを選択し、その後数時間の睡眠をとるとすると、時間帯によっては所定の時間が経過した後）、このような場合も翌日に含まれる。
【００７８】
即ち、本明細書で翌日は、入力画面を介して第１アイコン及び第２アイコンを選択してから所定の時間睡眠をとった後であることを意味する。
【００７９】
本発明の少なくとも一つの実施例に係る記憶力増強方法は、一種の日記と日記に基づいた記憶力訓練プログラムを介して脳の広い領域を活性化することで記憶力を向上させる。
【００８０】
認知神経科学の理論によると、記憶したことを頻繁に取り出すと記憶力が向上する。情報を取り出す方法の一つがテストである。自分が記憶しているのが正しいのか間違っているのかを確認すると、メタ記憶まで向上させることが可能である。本発明の少なくとも一つの実施例に係る活動取出テストは、ユーザーの経験と感情に対する記憶を簡単で迅速にテストできるように成されている。
【００８１】
記憶点数算出工程（ステップＳ６４０）では、活動取出テスト画面を介してユーザーが表示された複数のアイコンから第１アイコン及び第２アイコンを選択すると（ステップＳ６３０）、選択した第１アイコン及び第２アイコンと選択アイコン格納部１４０に格納された第１アイコン及び第２アイコンをそれぞれ比較し、比較結果に基づいてユーザーの記憶点数を算出する。
【００８２】
即ち、入力画面で選択した第１アイコン及び第２アイコンは当該日にユーザーが行った活動とそれぞれの活動に対する満足度を表し、活動取出テスト画面を介して選択した第１アイコン及び第２アイコンは前日またはそれ以前にユーザー自身が選択した第１アイコン及び第２アイコン及びその順序を思い出して選択するので、これらが一致するとユーザーの記憶力が良いので高い記憶点数が得られる。ここで、前日とは、翌日と同じように単に夜１２時を基準に分けられる場合に限られず、所定の時間睡眠を取った場合の睡眠の開始時刻または終了時刻を基準とする所定の時間以前を含む。
【００８３】
フィードバック画面提供工程（ステップＳ７１０）では、記憶点数算出工程（ステップＳ６４０）で算出した記憶点数を表示するためのフィードバック画面を提供する。
【００８４】
本発明の少なくとも一つの実施例において、ユーザーが複数の第１アイコンとこれに対応する複数の第２アイコンを選択すると、選択した複数の第１アイコン及びこれに対応する複数の第２アイコンとそれぞれのアイコンの選択順序を共に格納する。記憶点数算出工程（ステップＳ６４０）では、活動取出テスト画面を介してユーザーが表示された複数のアイコンから複数の第１アイコン及びこれに対応する複数の第２アイコンを選択すると、選択した複数の第１アイコン及びこれに対応する複数の第２アイコンとそれぞれのアイコンの選択順序と入力画面を介して選択した複数の第１アイコン及びこれに対応する複数の第２アイコンとそれぞれのアイコンの選択順序をそれぞれ比較し、比較結果に基づいてユーザーの記憶点数を算出する。
【００８５】
本発明の少なくとも一つの実施例に係る記憶力増強方法は、ユーザーに活動取出テストを再びチャレンジするように提案する再チャレンジ提案工程（ステップＳ７２０）をさらに備える。ユーザーの記憶点数が良くない場合または再びテストを行う場合、ユーザーは再チャレンジ提案工程（ステップＳ７２０）を介してテストを再び行うことができる。
【００８６】
本発明の少なくとも一つの実施例において、活動取出テスト画面の段階別に第１アイコンを含む複数のアイコンの数及び第２アイコンを含む複数のアイコンの数を異ならせて表示する。
【００８７】
例えば、第１段階のテスト（ステップＳ６２０）では、図１１に示すように、９個のアイコンからユーザーが入力した（入力画面で選択した）活動アイコンを探して時間順に配列する。第２段階のテスト（ステップＳ６５０）では、図１２に示すように、２０個のアイコンからユーザーが入力した（入力画面で選択した）活動アイコンを探して時間順に配列する。
【００８８】
記憶点数算出工程（ステップＳ６７０）では、活動取出テスト画面を介してユーザーが表示された複数のアイコンから第１アイコン及び第２アイコンを選択すると（ステップＳ６６０）、選択した第１アイコン及び第２アイコンと入力画面で選択した第１アイコン及び第２アイコンをそれぞれ比較し、比較結果に基づいてユーザーの記憶点数を算出する。
【００８９】
本発明の少なくとも一つの実施例では、活動取出テストの段階別に第１アイコンを含む複数のアイコンの数及び第２アイコンを含む複数のアイコンの数を異ならせて表示するのみならず、図１３に示すように、特定の図形の形でアイコンを隠し、ユーザーがアイコンの位置をクリックして当該一のアイコンを覚えておいて順に入力する形態にしても良い。
【００９０】
本発明の少なくとも一つの実施例において、第１アイコンを含む複数のアイコン及び第２アイコンを含む複数のアイコンを所定のパターンで表示する。
【００９１】
本発明の少なくとも一つの実施例において、第１アイコンを含む複数のアイコン及び第２アイコンを含む複数のアイコンをそれぞれ設定した数だけ所定のパターンで表示する。
【００９２】
以上で説明した本発明の少なくとも一つの実施例に係る様々な方法は、多様なコンピューター手段を介して読み取り可能なプログラム形態で実現され、コンピューター読み取り可能な記録媒体に格納することができる。ここで、記録媒体は、プログラム命令、データファイル、データ構造などを単独でまたは組み合わせて含んで良い。
【００９３】
記録媒体に格納されるプログラム命令は、本発明のために特別に設計及び構成されたものまたはコンピューターソフトウェアの当業者に公知されて使用可能なもので良い。
【００９４】
例えば、記録媒体は、ハードディスク、フロッピーディスク、及び磁気テープのような磁気媒体（Ｍａｇｎｅｔｉｃ  Ｍｅｄｉａ）、ＣＤ−ＲＯＭ、ＤＶＤのような光記録媒体（Ｏｐｔｉｃａｌ  Ｍｅｄｉａ）、フロプティカルディスク（Ｆｌｏｐｔｉｃａｌ  Ｄｉｓｋ）のような磁気・光媒体（Ｍａｇｎｅｔｏ−ｏｐｔｉｃａｌ  Ｍｅｄｉａ）、及びロム（ＲＯＭ）、ラム（ＲＡＭ）、フラッシュメモリーのように、プログラム命令を格納して実行するように構成されたハードウェア装置を含む。
【００９５】
プログラム命令の例には、コンパイラーによって作成される機械語ワイヤーのみならず、インタープリターなどを用いてコンピューターによって実行可能な高級言語ワイヤーが含まれる。前述のようなハードウェア装置は本発明の動作を遂行するために一つ以上のソフトウェアモジュールとして作動するように構成することができ、その逆も同様である。
【００９６】
図８ないし図１０は、本発明の少なくとも一つの実施例に係る記憶力増強装置１００の入力画面提供部１３０が提供する入力画面の一例を示す概略図である。図１１ないし図１３は、本発明の少なくとも一つの実施例に係る記憶力増強装置１００の活動取出テスト画面提供部１５０が提供する活動取出テスト画面の一例を示す概略図である。図１４は、本発明の少なくとも一つの実施例に係る記憶力増強装置１００のフィードバック画面提供部１７０が提供するフィードバック画面の一例を示す概略図である。
【００９７】
図８に示すように、本発明の少なくとも一つの実施例に係る記憶力増強装置１００の入力画面提供部１３０が提供する入力画面は、例えば、スマートフォンのような携帯用端末機８００のアプリケーションの形態で提供され、タイトル領域８１０、テキスト領域８２０、及びアイコン領域８３０で構成することができる。
【００９８】
タイトル領域８１０は、例えば、日記、活動内容など表示された画面のタイトルを表す。
【００９９】
テキスト領域８２０は、アイコン領域８３０をテキスト形式で表現することもできるし、ユーザーが活動内容を自ら入力することもできる。
【０１００】
アイコン領域８３０は、アイコン格納部１２０に格納された複数のアイコンのうち所定の数のアイコンを表示する。図８に示す例では計９個のアイコンを表示しているが、必要に応じてより多くのアイコンを表示するか、スクロール機能を提供するか、または複数のページにわたってアイコンを表示することができる。
【０１０１】
図９は、図８に示すアイコン領域８３０でユーザーが一つのアイコンを選択し、選択したアイコンが表す活動に対する満足度を選択する画面を示す。この例では、ユーザーが図８に示すアイコン領域８３０で映画鑑賞９１０アイコンを選択し、５段階の満足度アイコン９２０のうち該当するアイコンを選択する。
【０１０２】
メモ領域９３０には選択したアイコン９１０、９２０に対する簡単なメモやヒントなどを入力することができる。図９に示す画面で満足度アイコンを選択するかまたはネクスト９４０を選択すると、図１０に示す追加画面に移動する。
【０１０３】
図１０に示す追加画面では、入力領域１０１０で図８と図９で入力したアイコン９１０、９２０と該当する活動に対するメモまたはヒントが表示され、追加領域１０２０で＋記号をタッチまたはクリックすると続いて活動内容を入力することができる。
【０１０４】
図１１は、本発明の少なくとも一つの実施例に係る第１段階の活動取出テスト画面の一例で、アイコン領域１１２０に表示された複数のアイコンから前日またはそれ以前に入力画面を介して入力したアイコンを思い出して選択すると、選択したアイコンが入力領域１１１０に順に入力される。入力が完了してからネクスト１１３０をタッチまたはクリックすると、選択したアイコンが入力画面を介して入力したアイコンと一致するか否かを表示するか、または選択したそれぞれのアイコンに対する満足度を思い出して選択するようにする画面を表示する。または、満足度別にそれぞれの満足度に該当する活動アイコンを思い出して選択するようにする画面を表示することもできる。
【０１０５】
図１１に示す第１段階の活動取出テスト画面では計９個のアイコンを表示してその中でユーザーが前日またはそれ以前に入力画面を介して入力したアイコンを思い出して選択するようにする。
【０１０６】
図１２は、本発明の少なくとも一つの実施例に係る第２段階の活動取出テスト画面の一例で、図１１に示す第１段階の活動取出テスト画面とは異なり、計２０個のアイコンを表示し、その中でユーザーが前日またはそれ以前に入力画面を介して入力したアイコンを思い出して選択するようにする。
【０１０７】
図１３は、本発明の少なくとも一つの実施例に係る３段階の活動取出テスト画面の一例で、特定のパターンのアイコン領域１３１０をアイコンが割り当てられない領域１３２０とアイコンが割り当てられる領域１３３０に分け、ユーザーが前日またはそれ以前に入力画面を介して入力したアイコンを含む複数のアイコンを領域１３３０に割り当てる。
【０１０８】
この場合、図１３に示す画面ではユーザーがどの位置にどのアイコンが割り当てられているのかを知らない状態で、領域１３３０のそれぞれのアイコン位置をすべてタッチまたはクリックしてアイコンの位置を記憶しておく。このように、本発明の少なくとも一つの実施例に係る３段階の活動取出テストでは、隠されたアイコンの位置も記憶内容に含ませて、より複雑な記憶に対する記憶力を増強することができる。
【０１０９】
さらに、本発明の少なくとも一つの実施例においては、図１３に示す特定のパターンを変更したり、アイコンが割り当てられる領域の数を変更したり、アイコンが割り当てられた領域のそれぞれの位置の色を変更したり、これらを組み合わせることで、より複雑な記憶に対する記憶力を増強することができる。
【０１１０】
図１４は、本発明の少なくとも一つの実施例に係るフィードバック画面の一例で、テストを実施した日付１４１０、絶対点数１４２０、絶対点数を例えば１００点満点に換算した相対点数１４３０、反応時間１４４０などを表示する。フィードバック画面に表示する内容はこれに限定されず、ユーザーが属する特定集団の統計値をスクロール機能または複数のページを用いて表示することができる。
【０１１１】
以上の説明では、ダイアリーの形でその日に行った活動と当該活動に対する満足度を入力し、その翌日またはそれ以降に入力した活動と満足度を思い出す訓練を介して記憶力を向上させる記憶力増強装置を実施例として記載しているが、本発明はこれに限定されず、例えば本発明の少なくとも一つの実施例においては、スケジューラーの機能を用いて未来の日程を入力し、その翌日またはそれ以降に入力した日程を思い出す訓練を介して記憶力を向上させることも可能である。
【０１１２】
さらに、本発明の少なくとも一つの実施例においては、スケジューラーの機能を用いて未来の日程を入力し、当該日にその日程を行ってから該当する活動に対する満足度を入力し、その翌日またはそれ以降に、入力した日程と満足度を思い出す訓練を介して記憶力を向上させることも可能である。
【０１１３】
以上で説明したように、本発明の少なくとも一つの実施例によれば、自伝的記憶回想を介して記憶力を向上させることができる記憶力増強装置、記憶力増強方法、及びコンピューターに記憶力増強方法を実行させるためのプログラムを提供できる。
【０１１４】
さらに、本発明の少なくとも一つの実施例によれば、テストとフィードバック及び再チャレンジを介してメタ認知機能と記憶力を向上させることができる記憶力増強装置、記憶力増強方法、及びコンピューターに記憶力増強方法を実行させるためのプログラムを提供することができる。
【０１１５】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【符号の説明】
【０１１６】
１００：記憶力増強装置                        １１０：ログイン画面提供部
１２０：アイコン格納部                        １３０：入力画面提供部
１４０：選択アイコン格納部                    １５０：活動取出テスト画面提供部
１６０：記憶点数算出部                        １７０：フィードバック画面提供部
【図１】
2020134918.tif 000003
【図２】
2020134918.tif 000004
【図３】
2020134918.tif 000005
【図４】
2020134918.tif 000006
【図５】
2020134918.tif 000007
【図６】
2020134918.tif 000008
【図７】
2020134918.tif 000009
【図８】
2020134918.tif 000010
【図９】
2020134918.tif 000011
【図１０】
2020134918.tif 000012
【図１１】
2020134918.tif 000013
【図１２】
2020134918.tif 000014
【図１３】
2020134918.tif 000015
【図１４】
2020134918.tif 000016
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
ログイン画面を提供するログイン画面提供部と、
活動内容を表す複数の第１アイコン及び前記活動内容に対する満足度を表す複数の第２アイコンを格納するアイコン格納部と、
ユーザーが前記ログイン画面を介してログインした後、前記複数の第１アイコンのうち少なくとも一つの第１アイコンを選択し、前記複数の第２アイコンのうち前記第１アイコンに対応する第２アイコンを選択するための入力画面を提供する入力画面提供部と、
前記ユーザーが前記入力画面を介して前記第１アイコン及び前記第２アイコンを選択すると、選択した前記第１アイコン及び前記第２アイコンを格納する選択アイコン格納部と、
前記入力画面を介して前記第１アイコン及び前記第２アイコンを選択したユーザーが翌日またそれ以降に前記ログイン画面を介してログインすると、前記入力画面を介して選択した前記第１アイコンを含む複数のアイコン及び前記入力画面を介して選択した前記第２アイコンを含む複数のアイコンを表示し、表示された複数のアイコンから前記入力画面を介して選択した前記第１アイコン及び前記第２アイコンを順に選択するようにする活動取出テスト画面を提供する活動取出テスト画面提供部と、
前記活動取出テスト画面を介して前記ユーザーが表示された複数のアイコンから第１アイコン及び第２アイコンを選択すると、選択した第１アイコン及び第２アイコンと前記選択アイコン格納部に格納された前記第１アイコン及び前記第２アイコンをそれぞれ比較し、比較結果に基づいて前記ユーザーの記憶点数を算出する記憶点数算出部と、
前記記憶点数算出部が算出した前記記憶点数を表示するためのフィードバック画面を提供するフィードバック画面提供部と
を備える、
記憶力増強装置。
【請求項２】
前記選択アイコン格納部は、前記ユーザーが複数の第１アイコンとこれに対応する複数の第２アイコンを選択すると、選択した複数の第１アイコン及びこれに対応する複数の第２アイコンとそれぞれのアイコンの選択順序をともに格納し、
前記記憶点数算出部は、前記活動取出テスト画面を介して前記ユーザーが表示された複数のアイコンから複数の第１アイコン及びこれに対応する複数の第２アイコンを選択すると、選択した複数の第１アイコン及びこれに対応する複数の第２アイコンとそれぞれのアイコンの選択順序と前記選択アイコン格納部に格納された複数の第１アイコン及びこれに対応する複数の第２アイコンとそれぞれのアイコンの選択順序をそれぞれ比較し、比較結果に基づいて前記ユーザーの記憶点数を算出する、
請求項１に記載の記憶力増強装置。
【請求項３】
前記入力画面提供部は、前記アイコン格納部に格納された前記複数の第１アイコン及び前記複数の第２アイコンのうち少なくとも一部を表示するアイコン表示部を含む、
請求項１に記載の記憶力増強装置。
【請求項４】
前記活動取出テスト画面提供部は、前記第１アイコンを含む複数のアイコン及び前記第２アイコンを含む複数のアイコンをそれぞれ設定された数だけ表示するアイコン表示部を含む、
請求項１に記載の記憶力増強装置。
【請求項５】
前記記憶点数算出部が算出した記憶点数に基づいて、前記ユーザーが所属する特定集団の平均値及び前記特定集団または全体集団の統計値を算出する平均値・統計値算出部をさらに備える、
請求項３に記載の記憶力増強装置。
【請求項６】
前記フィードバック画面提供部は、
前記記憶点数算出部が算出した前記記憶点数を表示するための記憶点数表示部と、
前記特定集団の平均値を表示するための平均値表示部と、
前記特定集団または前記全体集団の統計値を表示するための統計値表示部と
を含む、
請求項５に記載の記憶力増強装置。
【請求項７】
前記フィードバック画面提供部は、前記ユーザーに前記活動取出テスト画面を用いたテストに再びチャレンジするように提案する再チャレンジ提案部をさらに備える、
請求項６に記載の記憶力増強装置。
【請求項８】
前記アイコン表示部は、前記活動取出テスト画面を用いたテストの段階別に前記第１アイコンを含む複数のアイコンの数及び前記第２アイコンを含む複数のアイコンの数を異ならせる、
請求項４に記載の記憶力増強装置。
【請求項９】
前記アイコン表示部は、前記第１アイコンを含む複数のアイコン及び前記第２アイコンを含む複数のアイコンを所定のパターンで表示する、
請求項４に記載の記憶力増強装置。
【請求項１０】
前記アイコン表示部は、前記第１アイコンを含む複数のアイコン及び前記第２アイコンを含む複数のアイコンをそれぞれ設定した数だけ所定のパターンで表示する、
請求項４に記載の記憶力増強装置。
【請求項１１】
ログイン画面を提供するログイン画面提供工程と、
活動内容を表す複数の第１アイコン及び前記活動内容に対する満足度を表す複数の第２アイコンを格納するアイコン格納工程と、
ユーザーが前記ログイン画面を介してログインした後、前記複数の第１アイコンのうち
少なくとも一つの第１アイコンを選択し、前記複数の第２アイコンのうち前記第１アイコンに対応する第２アイコンを選択するための入力画面を提供する入力画面提供工程と、
前記ユーザーが前記入力画面を介して前記第１アイコン及び前記第２アイコンを選択すると、選択した前記第１アイコン及び前記第２アイコンを格納する選択アイコン格納工程と、
前記入力画面を介して前記第１アイコン及び前記第２アイコンを選択したユーザーが翌日またそれ以降に前記ログイン画面を介してログインすると、前記入力画面を介して選択した前記第１アイコンを含む複数のアイコン及び前記入力画面を介して選択した前記第２アイコンを含む複数のアイコンを表示し、表示された複数のアイコンから前記入力画面を介して選択した前記第１アイコン及び前記第２アイコンを順に選択するようにする活動取出テスト画面を提供する活動取出テスト画面提供工程と、
前記活動取出テスト画面を介して前記ユーザーが表示された複数のアイコンから第１アイコン及び第２アイコンを選択すると、選択した第１アイコン及び第２アイコンと前記選択アイコン格納工程で格納された前記第１アイコン及び前記第２アイコンをそれぞれ比較し、比較結果に基づいて前記ユーザーの記憶点数を算出する記憶点数算出工程と、
前記記憶点数算出工程で算出した前記記憶点数を表示するためのフィードバック画面を提供するフィードバック画面提供工程と
を備える、
記憶力増強方法。
【請求項１２】
コンピューターに、請求項１１に記載の記憶力増強方法を実行させるためのプログラム。